(57)【特許請求の範囲】
【請求項１】
第１の部材に形成された貫通孔を挿通して第２の部材に係合する固定部材により、前記第１の部材及び前記第２の部材を固定するようにしてある固定構造において、
前記固定部材は、
前記貫通孔を挿通することが可能であり、前記第２の部材に係合する係合手段が設けられた軸部と、
前記貫通孔を挿通することが不可能であり、前記第１の部材に当接する頭部と、
前記軸部及び前記頭部を接続する接続部と
を有し、
前記軸部が前記第２の部材に係合した状態で、前記頭部に前記軸部の軸心方向と異なる方向に力が加えられた場合に、前記接続部が破壊されるようにしてあること
を特徴とする固定構造。
【請求項２】
前記接続部は、前記貫通孔を挿通することが可能であり、前記軸部と連続的に形成してあり、前記軸部の軸心方向と交差する方向に穴が形成してある請求項１に記載の固定構造。
【請求項３】
前記固定部材及び前記第１の部材は合成樹脂製である請求項１又は請求項２に記載の固定構造。
【請求項４】
前記固定部材及び前記第２の部材は合成樹脂製である請求項１乃至請求項３のいずれか１つに記載の固定構造。
【請求項５】
前記固定部材の前記係合手段は、前記軸部に形成された可撓性を有する爪部であり、
前記第２の部材は、
前記固定部材の前記軸部が嵌合する穴部と、
該穴部内に形成され、前記爪部に係合する溝部と
を有し、
前記爪部及び前記溝部が係合した場合、前記固定部材の前記軸部が回転不可能となるようにしてある請求項１乃至請求項４のいずれか１つに記載の固定構造。
【請求項６】
前記第１の部材は、底に前記貫通孔が形成された凹部を有し、
前記固定部材の前記頭部は、
前記凹部に収容されて嵌合するようにしてあり、
前記軸部との接続部分の反対側に、前記頭部を回転させる操作を行うための操作部を有する請求項１乃至請求項５のいずれか１つに記載の固定構造。
【請求項７】
第１のキャビネットに形成された貫通孔を通して第２のキャビネットに係合する固定部材により、前記第１のキャビネット及び前記第２のキャビネットを固定し、映像を表示する表示手段が前記第１のキャビネット及び前記第２のキャビネットに収納される表示装置において、
前記固定部材は、
前記貫通孔を挿通することが可能であり、前記第２のキャビネットに係合する係合手段が設けられた軸部と、
前記貫通孔を挿通することが不可能であり、前記第１のキャビネットに当接する頭部と、
前記軸部及び前記頭部を接続する接続部と
を有し、
前記軸部が前記第２のキャビネットに係合した状態で、前記頭部に前記軸部の軸心方向と異なる方向に力が加えられた場合に、前記接続部が破壊されるようにしてあること
を特徴とする表示装置。
【請求項８】
可撓性を有する爪部が形成された軸部と、
該軸部より径が大きい頭部と、
前記軸部に連続的に形成され、前記軸部の軸心方向と交差する方向に穴が穿設してあり、前記軸部及び前記頭部を接続する接続部と
を備え、
前記頭部に前記軸部の軸心方向と異なる方向に力が加えられた場合に、前記接続部が破壊されるようにしてあること
を特徴とする固定部材。
【発明の詳細な説明】
【技術分野】
【０００１】
本発明は、２つの部材を固定し、固定された２つの部材を簡単に解体することができる固定構造、この固定構造を利用してキャビネットを固定する表示装置、並びにこの固定構造及び表示装置に用いられる固定部材に関する。
【背景技術】
【０００２】
例えば液晶表示装置においては、映像を表示する液晶パネル、音声を出力するスピーカ及びこれらを制御する回路が設けられた回路基板等の多くの部品がキャビネット内に収容されている。キャビネットは、合成樹脂又は金属等により形成され、２つ以上に分割されており、分割されたキャビネットの固定にはねじ止め、フック及び溝を係合させるスナップフィット、及び溶接又は接着剤による接着等の手法が用いられている。また、液晶表示装置以外の電気機器においても、同様の固定構造が適用されており、電気機器の組立工程の簡略化及び組み立て時間の短縮のために、より簡単に、且つ確実に固定を行うことができる固定構造が求められている。
【０００３】
特許文献１においては、フロントキャビネット及びリアキャビネットの四隅の対向する位置にそれぞれボスを設け、フロントキャビネット及びリアキャビネットに挟持される反射板の四隅にボスと嵌合する受座を設け、フロントキャビネット及び反射板の間に液晶パネルを挿入し、反射板及びリアキャビネットの間に主基板を挿入し、これらをねじを用いて一体的に締め付けて固定する液晶テレビの組立構造が提案されている。この組立構造では、部品点数を削減できると共に組立作業性を向上させることができる。
【０００４】
特許文献２においては、スピーカが内蔵されたスピーカボックスに形成された貫通穴に、フロントキャビネットに設けられたねじ止め用パイプを挿入して、スピーカボックスをフロントキャビネットに対して仮止めした状態が維持されるようにし、その後にリアキャビネットを取り付けてねじ止めすることで、スピーカボックス、フロントキャビネット及びリアキャビネットを固定することができるテレビジョン受像機のキャビネットが提案されている。このキャビネットでは、キャビネットの組み立て及びスピーカボックスの取り付けに要する部品点数及び組立工程を削減することができ、組み立ての作業能率を向上することができる。
【特許文献１】特開平５−１０３２８４号公報
【特許文献２】特開平７−２７４０９９号公報
【発明の開示】
【発明が解決しようとする課題】
【０００５】
近年においては、資源の有効利用及び環境保護等の点から電気機器のリサイクルが行われており、リサイクルを行う際には電気機器を解体して各部品毎に再生処理を行う必要がある。しかし、従来の電気機器における固定構造は、リサイクルを行う場合の機器の解体の行いやすさについては重視されておらず、一見しただけでは解体方法がわからない、又は解体を行うために多数の工具を必要とする等の問題があり、解体を行うために必要な時間及びコスト等の増大を招いていた。特許文献１に記載の液晶テレビの組み立て構造及び特許文献２に記載のテレビジョン受像機のキャビネットにおいても、キャビネットをねじ止めする構成であるため、キャビネットの解体を行う場合には全てのねじを外す必要があり、解体に時間がかかるという問題がある。また、電気機器を廃棄する場合であっても、電気機器を金属、ガラス又はプラスチック等の材料別に分別するために解体を行う必要があるため、この場合も同様の問題がある。
【０００６】
本発明は、斯かる事情に鑑みてなされたものであって、その目的とするところは、第１の部材及び第２の部材を固定する固定部材の軸部及び頭部を接続する接続部が、軸部の軸心方向と異なる方向に力を加えられた場合に破壊されて、第１の部材及び第２の部材の固定が解除される構成とすることにより、第１の部材及び第２の部材の固定を簡単に解除することができ、機器の解体を簡単に行うことができる固定構造を提供することにある。
【０００７】
また本発明の他の目的とするところは、固定部材の接続部が、軸部と連続的に形成され、軸部の軸心方向と交差する方向に穴が穿設された構成とすることにより、接続部を簡単に、且つ確実に破壊して、機器の解体を簡単に、且つ確実に行うことができる固定構造を提供することにある。
【０００８】
また本発明の他の目的とするところは、固定部材及び第１の部材を合成樹脂により形成する構成とすることにより、機器の組み立て後に固定部分が同じ材料の部品で構成され、固定部材及び第１の部材のデザイン上の一体感を得ることができる固定構造を提供することにある。
【０００９】
また本発明の他の目的とするところは、固定部材及び第２の部材を合成樹脂により形成する構成とすることにより、機器の解体時に固定部材の接続部を破壊した後、第２部材及び固定部材の軸部が係合した状態を維持している場合であっても、第２部材及び固定部材が同じ材料の部品で構成され、係合を解除することなく第２部材及び固定部材のリサイクル又は廃棄等を行うことができる固定構造を提供することにある。
【００１０】
また本発明の他の目的とするところは、固定部材の軸部に可撓性を有する爪部を形成し、第２の部材に軸部が嵌合する穴部及び爪部と係合する溝部を設け、爪部及び溝部が係合した場合に固定部材が回転不可能に係止される構成とすることにより、簡単に固定部材及び第２の部材を係合させて、確実に第１の部材及び第２の部材を固定部材で固定することができる固定構造を提供することにある。
【００１１】
また本発明の他の目的とするところは、第１の部材に設けられた凹部の底に固定部材の軸部が挿通する貫通孔を形成し、固定部材の軸部が貫通孔を挿通した場合に、固定部材の頭部が第１の部材の凹部に嵌合する構成とし、また、固定部材を回転させる操作を行うための操作部を頭部に設ける構成とすることにより、固定部材及び第１の部材のデザイン上の一体感を得ることができ、また、第１の部材及び第２の部材の固定の解除が行いやすい固定構造を提供することにある。
【００１２】
また本発明の他の目的とするところは、第１のキャビネット及び第２のキャビネットを固定する固定部材の軸部及び頭部が、軸部の軸心方向と異なる方向に力を加えた場合に破壊されて、第１のキャビネット及び第２のキャビネットの固定が解除される構成とすることにより、第１のキャビネット及び第２のキャビネットの固定を簡単に解除することができ、解体を簡単に行うことができる表示装置を提供することにある。
【００１３】
また本発明の他の目的とするところは、爪部が形成された軸部及び頭部を接続する接続部に、軸部の軸心方向と交差する方向に穴を穿設する構成とすることにより、接続部を簡単に、且つ確実に破壊して、機器の解体を簡単に、且つ確実に行うことができる固定部材を提供することにある。
【課題を解決するための手段】
【００１４】
本発明に係る固定構造は、第１の部材に形成された貫通孔を挿通して第２の部材に係合する固定部材により、前記第１の部材及び前記第２の部材を固定するようにしてある固定構造において、前記固定部材は、前記貫通孔を挿通することが可能であり、前記第２の部材に係合する係合手段が設けられた軸部と、前記貫通孔を挿通することが不可能であり、前記第１の部材に当接する頭部と、前記軸部及び前記頭部を接続する接続部とを有し、前記軸部が前記第２の部材に係合した状態で、前記頭部に前記軸部の軸心方向と異なる方向に力が加えられた場合に、前記接続部が破壊されるようにしてあることを特徴とする。
【００１５】
本発明においては、固定部材の軸部及び頭部を接続する接続部が、頭部に軸心方向と異なる方向に力を加えられた場合に破壊されるようにしておく。第１の部材に形成された貫通孔に固定部材の軸部を通して第２の部材に係合させ、第１の部材に固定部材の頭部を当接させて第２の部材及び頭部の間に第１の部材を挟持することで、第１の部材及び第２の部材が固定される。この状態で固定部材の頭部に力を加えて接続部を破壊した場合、固定部材の軸部は第２の部材に係合したまま、第２の部材及び固定部材の頭部による第１の部材の挟持が解除され、第１の部材及び第２の部材の固定が解除される。
【００１６】
また、本発明に係る固定構造は、前記接続部が、前記貫通孔を挿通することが可能であり、前記軸部と連続的に形成してあり、前記軸部の軸心方向と交差する方向に穴が形成してあることを特徴とする。
【００１７】
本発明においては、軸部及び頭部を接続する接続部には穴を穿設して強度を弱める。頭部に力を加えた場合に強度の弱い接続部が簡単に破壊され、軸部及び頭部が別となり、第１の部材及び第２の部材の固定が解除される。
【００１８】
また、本発明に係る固定構造は、前記固定部材及び前記第１の部材が合成樹脂製であることを特徴とする。
【００１９】
本発明においては、固定部材及び第１の部材を合成樹脂により形成する。固定部材及び第１の部材が同じ材料で形成されているため、第１の部材の貫通孔に固定部材の軸部を挿通して第２の部材に係合させた状態で、固定部材及び第１の部材にデザイン上の一体感を生じさせることが可能となる。
【００２０】
また、本発明に係る固定構造は、前記固定部材及び前記第２の部材が合成樹脂製であることを特徴とする。
【００２１】
本発明においては、固定部材及び第２の部材を合成樹脂により形成する。第１の部材及び第２の部材を固定部材を用いて固定し、解体時に固定部材の接続部を破壊した場合には、固定部材の軸部が第２の部材に係合した状態であるが、固定部材の軸部及び第２の部材は同じ材料で形成されているため、固定部材の軸部及び第２の部材の係合を解除せずに、リサイクル又は廃棄等の処理を行うことが可能である。
【００２２】
また、本発明に係る固定構造は、前記固定部材の前記係合手段が、前記軸部に形成された可撓性を有する爪部であり、前記第２の部材は、前記固定部材の前記軸部が嵌合する穴部と、該穴部内に形成され、前記爪部に係合する溝部とを有し、前記爪部及び前記溝部が係合した場合、前記固定部材の前記軸部が回転不可能となるようにしてあることを特徴とする。
【００２３】
本発明においては、固定部材の軸部に可撓性を有する爪部を設け、第２の部材に固定部材の軸部が嵌合する穴部及び穴部内に固定部材の爪部が係合する溝部を設ける。固定部材を第１の部材の貫通孔を挿通して第２の部材の穴部に挿入し、爪部を溝部に係合させることで簡単に第１の部材及び第２の部材を固定できる。また、固定部材の爪部が第２の部材の溝部に係合した場合に固定部材が回転不可能となる構成とし、この状態で固定部材の頭部を回転させて接続部に力を加え、簡単に接続部が破壊できるようにする。
【００２４】
また、本発明に係る固定構造は、前記第１の部材が、底に前記貫通孔が形成された凹部を有し、前記固定部材の前記頭部は、前記凹部に収容されて嵌合するようにしてあり、前記軸部との接続部分の反対側に、前記頭部を回転させる操作を行うための操作部を有することを特徴とする。
【００２５】
本発明においては、第１の部材に固定部材の頭部と嵌合する形状の凹部を形成し、凹部の底に固定部材の軸部が挿通する貫通孔を形成する。第１の部材及び第２の部材を固定部材により固定した場合、固定部材の頭部が第１の部材の凹部に収まり、デザイン上の一体感を生じさせることが可能となる。また、固定部材の頭部に操作部を設けて、頭部を回転させやすくする。これにより、第１の部材及び第２の部材を固定した後、頭部を回転させて簡単に接続部を破壊し、固定を解除できる。
【００２６】
また、本発明に係る表示装置は、第１のキャビネットに形成された貫通孔を通して第２のキャビネットに係合する固定部材により、前記第１のキャビネット及び前記第２のキャビネットを固定し、映像を表示する表示手段が前記第１のキャビネット及び前記第２のキャビネットに収納される表示装置において、前記固定部材は、前記貫通孔を挿通することが可能であり、前記第２のキャビネットに係合する係合手段が設けられた軸部と、前記貫通孔を挿通することが不可能であり、前記第１のキャビネットに当接する頭部と、前記軸部及び前記頭部を接続する接続部とを有し、前記軸部が前記第２のキャビネットに係合した状態で、前記頭部に前記軸部の軸心方向と異なる方向に力が加えられた場合に、前記接続部が破壊されるようにしてあることを特徴とする。
【００２７】
本発明においては、固定部材の軸部及び頭部を接続する接続部が、頭部に軸心方向と異なる方向に力を加えられた場合に破壊されるようにしておく。表示装置の第１のキャビネットに形成された貫通孔に固定部材の軸部を通して第２のキャビネットに係合させ、第１のキャビネットに固定部材の頭部を当接させて第２のキャビネット及び頭部の間に第１のキャビネットを挟持することで、第１のキャビネット及び第２のキャビネットが固定される。この状態で固定部材の頭部に力を加えて接続部を破壊した場合、固定部材の軸部は第２のキャビネットに係合したまま、第２のキャビネット及び固定部材の頭部による第１のキャビネットの挟持が解除され、表示装置を解体できる。
【００２８】
また、本発明に係る固定部材は、可撓性を有する爪部が形成された軸部と、該軸部より径が大きい頭部と、前記軸部に連続的に形成され、前記軸部の軸心方向と交差する方向に穴が穿設してあり、前記軸部及び前記頭部を接続する接続部とを備え、前記頭部に前記軸部の軸心方向と異なる方向に力が加えられた場合に、前記接続部が破壊されるようにしてあることを特徴とする。
【００２９】
本発明においては、固定部材の軸部に爪部を形成して、爪部の係合により２つの部材を簡単に且つ確実に固定する。また、固定部材の軸部及び頭部を接続する接続部に穴を穿設して強度を弱め、頭部に力を加えた場合に強度の弱い接続部が簡単に破壊されるようにする。これにより、２つの部材の固定を簡単に解除できる。
【発明の効果】
【００３０】
本発明による場合は、固定部材の軸部及び頭部を接続する接続部が、頭部に軸心方向と異なる方向に力を加えた場合に破壊される構成とすることにより、第１の部材及び第２の部材の固定を簡単に解除することができ、機器の解体を簡単に行うことができるため、機器のリサイクル又は廃棄等に必要な時間及びコスト等を削減することができる。
【００３１】
また、本発明による場合は、軸部の軸心方向と交差する方向に穴を穿設する構成とすることにより、接続部の強度が弱まり、頭部に力を加えた場合に強度の弱い接続部が簡単に破壊されるため、第１の部材及び第２の部材の固定を簡単に解除することができ、機器のリサイクル又は廃棄に必要な時間及びコスト等を削減することができる。
【００３２】
また、本発明による場合は、固定部材及び第１の部材を合成樹脂により形成する構成とすることにより、機器の組み立て後に固定部分が同じ材料の部品で構成され、固定部材及び第１の部材にデザイン上の一体感を生じさせることが可能となるため、機器の美感を高めることができる。
【００３３】
また、本発明による場合は、固定部材及び第２の部材を合成樹脂により形成する構成とすることにより、機器の解体時に固定部材の接続部を破壊した場合には、固定部材の軸部が第２の部材に係合したままの状態であるが、固定部材の軸部及び第２の部材が同じ材料であるため、固定部材の軸部及び第２の部材の係合を解除せずに、リサイクル又は廃棄を行うことができ、機器のリサイクル又は廃棄に必要な時間及びコスト等を削減することができる。
【００３４】
また、本発明による場合は、固定部材の軸部に可撓性を有する爪部を形成し、第２の部材に軸部が嵌合する穴部及び爪部と係合する溝部を設ける構成とすることにより、固定部材を第１の部材の貫通孔を挿通して第２の部材の穴部に挿入し、爪部を溝部に係合させることで第１の部材及び第２の部材を簡単に固定できるため、機器の組み立てに必要な時間及びコスト等を削減することができる。また、爪部及び溝部が係合した場合に固定部材が回転不可能に係止される構成とすることにより、爪部及び溝部が係合した状態では、固定部材の頭部を回転させて簡単に接続部に力を加えることができ、簡単に接続部が破壊でき、固定が解除できるため、機器のリサイクル又は廃棄に必要な時間及びコスト等を削減することができる。
【００３５】
また、本発明による場合は、第１の部材に設けられた凹部の底に固定部材の軸部が挿通する貫通孔を形成し、固定部材の軸部が貫通孔を挿通した場合に、固定部材の頭部が第１の部材の凹部に嵌合する構成とすることにより、第１の部材及び第２の部材を固定部材により固定した場合、固定部材の頭部が第１の部材の凹部に収まり、デザイン上の一体感を生じさせることが可能となるため、機器の美感を高めることができる。また、固定部材を回転させる操作を行うための操作部を頭部に設ける構成とすることにより、頭部を回転させやすくすることができるため、第１の部材及び第２の部材を固定した後、頭部を回転させて簡単に接続部を破壊して固定を解除でき、機器のリサイクル又は廃棄に必要な時間及びコスト等を削減することができる。
【００３６】
また、本発明による場合は、固定部材の軸部及び頭部を接続する接続部が、頭部に軸心方向と異なる方向に力を加えた場合に破壊される構成とすることにより、第１のキャビネット及び第２のキャビネットの固定を簡単に解除することができ、表示装置の解体を簡単に行うことができるため、表示装置のリサイクル又は廃棄等に必要な時間及びコスト等を削減することができる。
【００３７】
また、本発明による場合は、固定部材の軸部に爪部を形成し、他の部材に爪部が係合することで固定を行う構成とすることにより、２つの部材の固定を簡単に且つ確実に行うことができるため、機器の組み立てに必要な時間及びコスト等を削減することができる。また、固定部材の軸部及び頭部を接続する接続部に穴を穿設する構成とすることにより、接続部の強度が弱まり、頭部に力を加えた場合に強度の弱い接続部が簡単に破壊されるため、２つの部材の固定を簡単に解除することができ、機器のリサイクル又は廃棄等に必要な時間及びコスト等を削減することができる。
【発明を実施するための最良の形態】
【００３８】
以下、本発明をその実施の形態を示す図面に基づき具体的に説明する。なお、本実施の形態においては、表示装置として液晶パネルを備える液晶表示装置を例に説明を行う。
図１は、本発明に係る液晶表示装置の構成を示す背面斜視図である。図において１は液晶表示装置の表面を覆うフロントキャビネットであり、映像を表示するための表示面を有する液晶パネル７０（図４にて図示する）を露出させるための略長方形の穴が形成された略長方形の枠状をなしている。また、フロントキャビネット１は合成樹脂により形成され、フロントキャビネット１の周縁部分は略直角に屈曲されて周壁１１をなすようにしてある。
【００３９】
フロントキャビネット１と嵌合して、フロントキャビネット１との間の空間に液晶パネル７０及び回路基板等を収容するリアキャビネット２は、合成樹脂により形成され、略長方形の背面の周縁を略直角に屈曲して周壁２１を設けたトレイ状をなしている。リアキャビネット２の背面の四隅には、略円柱状の凹部２２、２２…が形成され、また上側の２つの凹部２２、２２の間の位置に１つの凹部２２が形成されている。即ち、リアキャビネット２の背面には合計で５つの凹部２２、２２…が形成されている。凹部２２、２２…の底には貫通孔２３（図４にて図示する）が形成されており、フロントキャビネット１及びリアキャビネット２は、凹部２２、２２…から貫通孔２３を通してフロントキャビネット１に係合する５つのリベット（固定部材）５０、５０…により固定される。この固定構造については後述する。
【００４０】
液晶表示装置は、フロントキャビネット１及びリアキャビネット２、並びにこれらの中に収容される液晶パネル及び回路基板等を支持するためのスタンド４を備えている。スタンド４は、略矩形板状のベース部４１と、側面視が略逆Ｌ字型をなし、Ｌ字の一端がベース部４１に接続され、他端がリアキャビネット２の背面に接続されて、リアキャビネット２及びベース部４１を連結する連結部４２とを有している。スタンド４により、液晶表示装置は映像の表示面をユーザ側へ向けた状態で、例えばテレビ台の上又は机上等に安定して載置することができるようにしてある。
【００４１】
図２は、本発明に係るリベット５０の構成を示す模式図であり、（ａ）にリベット５０の側面図を示し、（ｂ）及び（ｃ）にリベット５０の両端側から見た図を示す。また、図３は、図２のＩＩＩ−ＩＩＩ線による拡大断面図である。リベット５０は、合成樹脂により形成され、略円柱状の軸部５１と、軸部５１より径が大きい略円柱状の頭部５２と、軸部５１の径に略等しい径を有する略円柱状をなし、軸部５１及び頭部５２を軸心が一致するように接続する接続部５３とを備えている。
【００４２】
軸部５１には、接続部５３により頭部５２に接続された側の反対端から軸長方向の略中央まで、軸心を含んで軸部５１の周囲の一側から他側へ貫通するスリット５４が形成されており、軸部５１はスリット５４によって先端部分が二分されている。軸部５１の二分された先端部分には、ラジアル方向に板状の爪部５５、５５がそれぞれ突設されており、爪部５５、５５は軸部５１の先端側から接続部５３による接続側へ拡幅するように傾斜した略台形をなしている。また、２つの爪部５５、５５は、軸部５１の軸心を間にして対称に形成されている。リベット５０は合成樹脂により形成されているため、軸部５１の二分された先端部分は、スリット５４の間隔を狭めるようにして、軸部５１の内側へ撓めることが可能である。
【００４３】
頭部５２は、接続部５３による接続側の反対端が略円形の平面をなしており、この円形平面には、中心を囲む長穴状の回転操作溝５６が形成してある。回転操作溝５６の深さ方向の形状は、両端が浅く中央が深い円弧状にしてあり、例えば円盤形の硬貨の周縁を回転操作溝５６に挿入して、頭部５２を簡単に回転操作できるようにしてある。
【００４４】
略円柱形状をなす接続部５３には、軸心と交差して接続部５３の周囲の一側から他側へ貫通する３つの強度調整穴５７、５７…が形成されている。３つの強度調整穴５７、５７…が形成されることにより、接続部５３の周囲には６つの開口が等間隔で配される。接続部５３は、強度調整穴５７、５７…が形成されているため、軸部５１より強度が弱く、外部から力が加わった場合に破壊されやすい。例えば、軸部５１が爪部５５により回転不可能に係止され、頭部５２を回転させる力が加わった場合に、強度が弱い接続部５３が破壊されて、軸部５１及び頭部５２が別体となるようにしてある。
【００４５】
図４は、本発明に係る液晶表示装置のリベット５０による固定部分の固定前の状態を示す拡大断面図である。リアキャビネット２に形成された凹部２２は、リベット５０の頭部５２と略同形に凹ませた形状をなしており、凹部２２の底にはリベット５０の軸部５１と略同径の貫通孔２３が形成されている。これにより、リアキャビネット２の貫通孔２３にリベット５０の軸部５１を挿通し、凹部２２に頭部５２を嵌合させることができるようにしてあり、凹部２２及び頭部５２を嵌合させた状態では、リアキャビネット２の外面（背面）とリベット５０の頭部５２側の端面とが連続した平面をなすようにしてある。また、リベット５０の軸部５１には爪部５５、５５がラジアル方向に突設されているが、軸部５１の先端に形成されたスリット５４により、爪部５５、５５を軸部５１の内側へ撓めてリアキャビネット２の貫通孔２３を挿通することができるようにしてある。
【００４６】
フロントキャビネット１の内面側には、フロントキャビネット１及びリアキャビネット２が嵌合された場合に貫通孔２３と対向する位置に、リベット５０の軸部５１と略同径の挿入穴１２ａを有する円筒状のリベット受部１２がそれぞれ突設されている。また、リアキャビネット２の内面側には、貫通孔２３の周囲を囲んで、貫通孔２３より径の大きい円筒突起部２４がそれぞれ突設してあり、リアキャビネット２の円筒突起部２４の内径はフロントキャビネット１のリベット受部１２の外径に略等しくしてある。これにより、フロントキャビネット１及びリアキャビネット２を嵌合させた場合に、フロントキャビネット１のリベット受部１２及びリアキャビネット２の円筒突起部２４が嵌合するようにしてある。
【００４７】
また、フロントキャビネット１のリベット受部１２には、挿入穴１２ａに挿入されたリベット５０の軸部５１の爪部５５、５５に係合する係合溝１３、１３が形成されている。係合溝１３、１３の幅は爪部５５、５５の幅と略等しくしてあり、２つの係合溝１３、１３はリベット受部１２内の対向する位置に形成されている。挿入穴１２ａに撓めて挿入された軸部５１の先端部分は、爪部５５、５５及び係合溝１３、１３が係合することにより撓みが戻り、この状態ではリベット５０をリベット受部１２から抜脱することができないようにしてある。よって、フロントキャビネット１及びリアキャビネット２を嵌合させ、リベット５０をリアキャビネット２の貫通孔２３を挿通してフロントキャビネット１のリベット受部１２に挿入し、リベット５０の爪部５５、５５及びリベット受部１２の係合溝１３、１３を係合させることにより、フロントキャビネット１及びリアキャビネット２の嵌合状態を保って固定することができるようにしてある。
【００４８】
また、フロントキャビネット１には、リベット受部１２が設けられた位置の近傍に、内部にねじ穴を有する円柱状のねじ受部１４が設けられている。ねじ受部１４には、フロントキャビネット１及びリアキャビネット２の内部に形成される空間に、映像を表示する液晶パネル７０を固定するための固定金具６５をねじ６０によりねじ止めするようにしてあり、液晶パネル７０は、ねじ止めされた固定金具６５及びフロントキャビネット１の間に挟持されて固定されるようにしてある。
【００４９】
図５は、本発明に係る液晶表示装置のリベット５０による固定部分の固定後の状態を示す拡大断面図である。液晶表示装置の組み立ては、まずフロントキャビネット１に液晶パネル７０をねじ６０及び固定金具６５を用いて固定し、次いでフロントキャビネット１にリアキャビネット２を嵌合させた後、リベット５０をリアキャビネット２の貫通孔２３からフロントキャビネット１のリベット受部１２へ押し込むことで行うことができる。
【００５０】
フロントキャビネット１及びリアキャビネット２がリベット５０により固定された状態は、リアキャビネット２の貫通孔２３を挿通したリベット５０の軸部５１に形成された爪部５５、５５が、リベット受部１２の係合溝１３、１３に係合した状態であり、この状態では、リベット５０は軸心を中心に回転不可能に係止されている。
【００５１】
図６は、本発明に係る液晶表示装置のリベット５０による固定部分の固定解除後の状態を示す拡大断面図である。リベット５０によるフロントキャビネット１及びリアキャビネット２の固定の解除、即ち液晶表示装置の解体を行う場合には、リベット５０の頭部５２に形成された回転操作溝５６に、例えば硬貨を挿入し、リベット５０の頭部５２を回転させる力を加える。
【００５２】
しかし、リベット５０の爪部５５、５５及びリベット受部１２の係合溝１３、１３が係合した状態では、リベット５０の軸部５１は回転不可能であるため、係合に逆らって頭部５２を回転させる力を加え続けた場合には、リベット５０の強度が弱い部分である接続部５３が破壊される。リベット５０の接続部５３が破壊された場合、リベット５０の軸部５１及び頭部５２が分断されるため、リベット５０によってフロントキャビネット１及びリアキャビネット２を固定することができなくなり、固定が解除される。このとき、分断された軸部５１はリベット受部１２内に残されるが、フロントキャビネット１及びリベット５０は共に合成樹脂により形成されたものであるため、フロントキャビネット１及び軸部５１を分別することなくリサイクル又は廃棄等を行うことができる。
【００５３】
以上の構成の液晶表示装置においては、フロントキャビネット１及びリアキャビネット２を嵌合させた後、リベット５０をリアキャビネット２の凹部２２から貫通孔２３を挿通させて、フロントキャビネット１のリベット受部１２に押し込むことで、フロントキャビネット１及びリアキャビネット２を固定することができるため、液晶表示装置の組み立てを簡単に行うことができる。また、フロントキャビネット１及びリアキャビネット２をリベット５０により固定した後、リベット５０の頭部５２を回転させる力を加えることでリベット５０の軸部５１及び頭部５２を接続する接続部５３を破壊して、簡単に液晶表示装置を解体できる。また、フロントキャビネット１及びリベット５０を共に合成樹脂製としたため、接続部５３が破壊されてフロントキャビネット１のリベット受部１２内にリベット５０の軸部５１が残された状態であっても、リサイクル又は廃棄等を行うことができる。また、リベット５０の頭部５２及びリアキャビネット２の凹部２２を略同形状とすることにより、フロントキャビネット１及びリアキャビネット２をリベット５０で固定した場合に、リベット５０が液晶表示装置の背面に突出することがなく、液晶表示装置の背面に凹部２２がリベット５０の頭部５２で埋められるため、液晶表示装置のデザイン上の一体感が得られる。更に、リアキャビネット２及びリベット５０を共に合成樹脂製とすることにより、より液晶表示装置のデザイン上の一体感が得られる。また、リベット５０の頭部５２がリアキャビネット２の背面に突出していた場合には頭部５２に回転以外の力が加わって接続部５３が破壊される虞があるが、頭部５２がリアキャビネット２の凹部２２に収容されるため、回転以外の力が加わることがない。
【００５４】
なお、本実施の形態においては、表示装置として液晶表示装置を例に説明を行ったが、これに限るものではなく、ＣＲＴディスプレイ又はリアプロジェクタ等の他の表示装置であってもよく、表示装置でない他の機器であってもよく、更には、２つの部材を固定部材を用いて固定する構造を有する機器であれば同様の構成を適用することが可能である。また、リアキャビネット２が合成樹脂製である構成としたが、これに限るものではなく、木製又は金属製等の他の材料により形成されるものであってもよい。また、フロントキャビネット１及びリベット５０を合成樹脂製としたが、これに限るものではなく、フロントキャビネット１及びリベット５０が同じ材料製であるか、少なくともリサイクル又は廃棄時に分別する必要のない別の材料製であればよい。
【００５５】
また、リベット５０の接続部５３に強度調整穴５７、５７…を形成して接続部５３の強度を弱める構成としたが、これに限るものではなく、例えば接続部５３を軸部５１より径が小さい円柱状に形成するなどの他の構成であってもよい。また、リアキャビネット２に凹部２２を形成して、リベット５０の頭部５２が凹部２２内に収容される構成としたが、これに限るものではなく、リアキャビネット２に凹部２２を形成せずに貫通孔２３のみ形成し、フロントキャビネット１及びリアキャビネット２をリベット５０で固定した場合に、リベット５０の頭部５２がリアキャビネット２の背面から突出する構成であってもよく、この場合にはリベット５０の頭部５２を回転させて接続部５３を破壊するのではなく、頭部５２の周側面に一方向に力を加えて接続部５３を破壊してもよい。
【図面の簡単な説明】
【００５６】
【図１】本発明に係る液晶表示装置の構成を示す背面斜視図である。
【図２】本発明に係るリベットの構成を示す模式図である。
【図３】図２のＩＩＩ−ＩＩＩ線による拡大断面図である。
【図４】本発明に係る液晶表示装置のリベットによる固定部分の固定前の状態を示す拡大断面図である。
【図５】本発明に係る液晶表示装置のリベットによる固定部分の固定後の状態を示す拡大断面図である。
【図６】本発明に係る液晶表示装置のリベットによる固定部分の固定解除後の状態を示す拡大断面図である。
【符号の説明】
【００５７】
１  フロントキャビネット（第２の部材、第２のキャビネット）
２  リアキャビネット（第１の部材、第１のキャビネット）
４  スタンド
１２  リベット受部
１２ａ  挿入穴（穴部）
１３  係合溝（溝部）
２２  凹部
２３  貫通孔
５０  リベット（固定部材）
５１  軸部
５２  頭部
５３  接続部
５４  スリット
５５  爪部
５６  回転操作溝（操作部）
５７  強度調整穴
７０  液晶パネル（表示手段）
【図１】
0004688662.tif 000002
【図２】
0004688662.tif 000003
【図３】
0004688662.tif 000004
【図４】
0004688662.tif 000005
【図５】
0004688662.tif 000006
【図６】
0004688662.tif 000007